(57)【特許請求の範囲】
【請求項１】
画像を表示する表示パネルと、
第１基板取付部と、
前記第１基板取付部に取り付けられ、前記表示パネルの画面サイズに依存するハードウェアの制御を行う表示パネル基板と、
第２基板取付部と、
前記第２基板取付部に取り付けられ、前記表示パネルに表示する画像を生成する表示プログラムを、当該表示パネルの画面サイズに応じて複数記憶しており、記憶した前記表示プログラムのうち何れかを用いて前記表示パネルに画像を表示する制御を行うメイン基板と、
第３基板取付部と、
前記第３基板取付部に取り付けられ、前記表示パネル基板及び前記メイン基板で使用される電力を供給する電源基板と、
を備え、
前記表示パネルの裏側には、当該表示パネル側から順に、前記第１基板取付部、前記表示パネル基板、前記第２基板取付部、前記メイン基板、前記第３基板取付部、前記電源基板が配置されていることを特徴とする表示装置。
【請求項２】
請求項１に記載の表示装置であって、
少なくとも前記表示パネルの一部を覆う表示パネル側筐体と、
前記表示パネル側筐体に取り付けられる制御側筐体と、
を備え、
前記制御側筐体は、前記表示パネル側筐体、前記第１基板取付部、前記第２基板取付部、及び前記第３基板取付部のうち、前記表示パネル側筐体にのみ取り付けられることを特徴とする表示装置。
【請求項３】
請求項２に記載の表示装置であって、
前記表示パネル側筐体、前記表示パネル、前記第１基板取付部、及び前記表示パネル基板を表示パネルブロックとし、
前記制御側筐体、前記第２基板取付部、前記メイン基板、前記第３基板取付部、及び前記電源基板を制御ブロックとしたときに、
前記制御ブロックは、画面サイズが異なる複数種類の前記表示パネルブロックと同じインタフェースを用いて接続されることを特徴とする表示装置。
【請求項４】
請求項１から３までの何れか一項に記載の表示装置であって、
外部の機器からの信号を前記電源基板を介さずに前記メイン基板に伝達する有線の信号伝達部を備えることを特徴とする表示装置。
【請求項５】
請求項４に記載の表示装置であって、
前記信号伝達部は、ＬＡＮケーブル、ＵＳＢケーブル、及び画像伝達ケーブルのうち少なくとも何れかを含むことを特徴とする表示装置。
【請求項６】
請求項４又は５に記載の表示装置であって、
前記第３基板取付部及び前記電源基板のうち少なくとも何れかには切欠きが形成されており、当該切欠きを通るように前記信号伝達部が配置されていることを特徴とする表示装置。
【請求項７】
請求項１から３までの何れか一項に記載の表示装置であって、
前記表示パネル基板は、バックライトに関する制御及びタッチスクリーンに関する制御の少なくとも一方を行うことを特徴とする表示装置。
【請求項８】
請求項１から７までの何れか一項に記載の表示装置であって、
前記メイン基板は、前記表示パネル又は前記表示パネル基板に接続されることで、前記表示パネルの画面サイズに応じた前記表示プログラムを自動で読み出すことを特徴とする表示装置。
【請求項９】
画像を表示する表示パネルの裏側に第１基板取付部を取り付ける第１工程と、
前記表示パネルが位置する側の反対側を裏側と称したときに、前記表示パネルの画面サイズに依存するハードウェアの制御を行う表示パネル基板を、前記第１基板取付部の裏側の面に取り付ける第２工程と、
第２基板取付部を、前記表示パネル基板よりも裏側に取り付ける第３工程と、
前記表示パネルに表示する画像を生成する表示プログラムを、当該表示パネルの画面サイズに応じて複数記憶しており、記憶した前記表示プログラムのうち何れかを用いて前記表示パネルに画像を表示する制御を行うメイン基板を、前記第２基板取付部の裏側の面に取り付ける第４工程と、
第３基板取付部を、前記メイン基板よりも裏側に取り付ける第５工程と、
前記表示パネル基板及び前記メイン基板で使用される電力を供給する電源基板を、前記第３基板取付部の裏側の面に取り付ける第６工程と、
を含むことを特徴とする表示装置製造方法。
【請求項１０】
請求項９に記載の表示装置製造方法であって、
前記第１工程及び前記第２工程では、前記表示パネルの画面サイズに応じて選択された、前記第１基板取付部及び前記表示パネル基板が用いられ、
前記第３工程、前記第４工程、前記第５工程、前記第６工程では、前記表示パネルの画面サイズに依存しない構成を有する、前記第２基板取付部、前記メイン基板、前記第３基板取付部、及び前記電源基板が用いられることを特徴とする表示装置製造方法。
【発明の詳細な説明】
【技術分野】
【０００１】
本発明は、主として、内部に複数の基板を備える表示装置に関する。
【背景技術】
【０００２】
表示画面を有する製品（ナビゲーション装置、パーソナルコンピュータ等）では、様々な顧客のニーズに対応するために、画面サイズが異なる複数の製品が展開されることがある。また、製品の仕様の変更により、既存の製品とは画面サイズが異なる製品を新たに展開する場合がある。画面サイズが異なる場合、通常は筐体のサイズも異なるため、内部に配置される基板及び基板取付部の形状も異なることが多い。
【０００３】
ここで、特許文献１は、液晶パネルのサイズが変更された場合であっても、この液晶パネルに応じた液晶パネルホルダを用いることで、外装パネルの変更を必要としない構成のデジタルカメラを開示する。
【先行技術文献】
【特許文献】
【０００４】
【特許文献１】特開２００２−７７６７７号公報
【発明の概要】
【発明が解決しようとする課題】
【０００５】
しかし、特許文献１では、外装パネルを共通化できる構成が開示されるにとどまり、内部の部品の共通化については記載も示唆もされていない。そのため、液晶パネルのサイズが異なる複数の製品を展開する場合、又は液晶パネルのサイズが変更された場合等において、内部の部品等を新たに設計する必要がある。
【０００６】
その結果、内部に配置される部品（基板及び基板取付部等）の設計、検査、製造、及び管理等を新たに行う必要がある。従って、特許文献１に開示されている内容では、コストをあまり低減させることができない。
【０００７】
本発明は以上の事情に鑑みてされたものであり、その主要な目的は、画面サイズが異なる複数の製品を展開する場合、又は画面サイズを変更した場合において、製品の内部に配置される部品の設計変更等に起因するコストの増加を抑える表示装置を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の表示装置が提供される。即ち、この表示装置は、表示パネルと、第１基板取付部と、表示パネル基板と、第２基板取付部と、メイン基板と、第３基板取付部と、電源基板と、を備える。前記表示パネルは、画像を表示する。前記表示パネル基板は、前記第１基板取付部に取り付けられ、前記表示パネルの画面サイズに依存するハードウェアの制御を行う。前記メイン基板は、前記第２基板取付部に取り付けられ、前記表示パネルに表示する画像を生成する表示プログラムを、当該表示パネルの画面サイズに応じて複数記憶しており、記憶した前記表示プログラムのうち何れかを用いて前記表示パネルに画像を表示する制御を行う。前記電源基板は、前記第３基板取付部に取り付けられ、前記表示パネル基板及び前記メイン基板で使用される電力を供給する。前記表示パネルの裏側には、当該表示パネル側から順に、前記第１基板取付部、前記表示パネル基板、前記第２基板取付部、前記メイン基板、前記第３基板取付部、前記電源基板が配置されている。
【００１０】
これにより、複数の表示パネルに対応するプログラムをメイン基板が記憶しているため、少なくともメイン基板及びそれを支持する第２基板取付部を共通化できる。従って、表示パネルの画面サイズの変更に伴うコストの増加を抑えることができる。
【００１１】
前記の表示装置においては、以下の構成とすることが好ましい。即ち、この表示装置は、表示パネル側筐体と、制御側筐体と、を備える。前記表示パネル側筐体は、少なくとも前記表示パネルの一部を覆う。前記制御側筐体は、前記表示パネル側筐体に取り付けられる。前記制御側筐体は、前記表示パネル側筐体、前記第１基板取付部、前記第２基板取付部、及び前記第３基板取付部のうち、前記表示パネル側筐体にのみ取り付けられる。
【００１２】
これにより、基板及び基板取付部の取付けが完了した後に制御側筐体が表示パネル側筐体に取り付けられることとなる。そのため、表示パネル側筐体に制御側筐体を取り付ける際に、基板同士を接続するケーブルが２つの筐体に挟まれることを防止できる。
【００１３】
前記の表示装置においては、以下の構成とすることが好ましい。即ち、前記表示パネル側筐体、前記表示パネル、前記第１基板取付部、及び前記表示パネル基板を表示パネルブロックとし、前記制御側筐体、前記第２基板取付部、前記メイン基板、前記第３基板取付部、及び前記電源基板を制御ブロックとしたときに、前記制御ブロックは、画面サイズが異なる複数種類の前記表示パネルブロックと同じインタフェースを用いて接続される。
【００１４】
これにより、表示パネルの画面サイズに依存しない部材をまとめて制御ブロックとして構成しているので、多数の部材を共通化することができ、表示パネルの画面サイズの変更に伴うコストの増加を抑えることができる。
【００１５】
前記の表示装置においては、外部の機器からの信号を前記電源基板を介さずに前記メイン基板に伝達する有線の信号伝達部を備えることが好ましい。
【００１６】
これにより、外部の機器からの信号が電源基板を介さずにメイン基板に直接伝達されるので、信号に含まれるノイズを低減できる。
【００１７】
前記の表示装置においては、前記信号伝達部は、ＬＡＮケーブル、ＵＳＢケーブル、及び画像伝達ケーブルのうち少なくとも何れかを含むことが好ましい。
【００１８】
これにより、通信の不具合又は画像の乱れ等の発生を抑制できる。
【００１９】
前記の表示装置においては、前記第３基板取付部及び前記電源基板のうち少なくとも何れかには切欠きが形成されており、当該切欠きを通るように前記信号伝達部が配置されていることが好ましい。
【００２０】
これにより、信号伝達部の屈曲回数を減らすことができるので、ケーブルに掛かる負担を軽減するとともに、製造時におけるケーブルの取り回しを一層容易にすることができる。
【００２１】
前記の表示装置においては、前記表示パネル基板は、バックライトに関する制御及びタッチスクリーンに関する制御の少なくとも一方を行うことが好ましい。
【００２２】
これにより、バックライト及びタッチスクリーンに関する制御は表示パネルの画面サイズに依存するため、これらの制御を表示パネル基板で行うことで、それ以外の部材を共通化し易くすることができる。
【００２３】
前記の表示装置においては、前記メイン基板は、前記表示パネル又は前記表示パネル基板に接続されることで、前記表示パネルの画面サイズに応じた前記表示プログラムを自動で読み出すことが好ましい。
【００２４】
例えば表示パネルの画面サイズに応じた切替スイッチをメイン基板に設ける場合、表示装置の製造時に、作業者によるスイッチの切替作業が必要となる。この点、上記の構成を採用することで、切替作業が不要になるとともに、人為的なミスが起こり得ないので、適切な表示プログラムを確実に適用できる。
【００２５】
本発明の第２の観点によれば、以下の表示装置製造方法が提供される。即ち、この表示装置製造方法は、第１工程と、第２工程と、第３工程と、第４工程と、第５工程と、第６工程と、を含む。前記第１工程では、画像を表示するな表示パネルの裏側に第１基板取付部を取り付ける。前記第２工程では、前記表示パネルが位置する側の反対側を裏側と称したときに、前記表示パネルの画面サイズに依存するハードウェアの制御を行う表示パネル基板を、前記第１基板取付部の裏側の面に取り付ける。前記第３工程では、前記第２基板取付部を、前記表示パネル基板よりも裏側に取り付ける。前記第４工程では、前記表示パネルに表示する画像を生成する表示プログラムを、当該表示パネルの画面サイズに応じて複数記憶しており、記憶した前記表示プログラムのうち何れかを用いて前記表示パネルに画像を表示する制御を行うメイン基板を、前記第２基板取付部の裏側の面に取り付ける。前記第５工程では、前記第３基板取付部を、前記メイン基板よりも裏側に取り付ける。前記第６工程では、前記表示パネル基板及び前記メイン基板で使用される電力を供給する電源基板を、前記第３基板取付部の裏側の面に取り付ける。
【００２６】
これにより、表示パネルから各部材を積み上げるようにして製造するため、基板同士をケーブルで接続しながら製造工程を進めることができるので、製造工程を簡単に行うことができる。
【００２７】
前記の表示装置製造方法においては、以下のようにすることが好ましい。即ち、前記第１工程及び前記第２工程では、前記表示パネルの画面サイズに応じて選択された、前記第１基板取付部及び前記表示パネル基板が用いられる。前記第３工程、前記第４工程、前記第５工程、前記第６工程では、前記表示パネルの画面サイズに依存しない構成を有する、前記第２基板取付部、前記メイン基板、前記第３基板取付部、及び前記電源基板が用いられる。
【００２８】
これにより、表示パネルの画面サイズに依存しない複数の部材を共通化しているため、表示パネルの画面サイズの変更に伴うコストの増加を抑えることができる。
【図面の簡単な説明】
【００２９】
【図１】本発明の一実施形態に係る表示装置及びそれに接続される装置のブロック図。
【図２】表示装置の分解斜視図。
【図３】表示パネル側筐体を取り付けるときの様子を示す斜視図。
【図４】表示パネル基板を取り付けるときの様子を示す斜視図。
【図５】第２基板取付部を取り付けるときの様子を示す斜視図。
【図６】メイン基板を取り付けるときの様子を示す斜視図。
【図７】第３基板取付部を取り付けるときの様子を示す斜視図。
【図８】電源基板を取り付けるときの様子を示す斜視図。
【図９】制御側筐体を取り付けるときの様子を示す斜視図。
【図１０】を取り付けるときの様子を示す斜視図。
【図１１】表示パネルの画面サイズが異なる場合に制御側筐体を取り付ける様子を示す斜視図。
【発明を実施するための形態】
【００３０】
次に、図面を参照して本発明の実施形態を説明する。初めに、図１を参照して、本実施形態の表示装置５について説明する。
【００３１】
表示装置５は、複数の舶用機器と接続されており、これらの舶用機器で生成された画像を画面に表示する装置である。具体的には、図１に示すように、外部電源１と、魚群探知機２と、航海画像生成装置３と、が表示装置５に接続されている。
【００３２】
外部電源１は、表示装置５に電力を供給する。魚群探知機２は、水中に向けて超音波を発射するとともに、当該超音波が魚群や海底等で反射した反射波を受信する。魚群探知機２は、この反射波を解析することで作成した魚群画像を表示装置５へ出力する。航海画像生成装置３は、ＧＰＳ受信機等によって検出された自船の位置を海図に重畳した画像である航海画像を表示装置５へ出力する。なお、表示装置５には、上記以外の舶用機器（レーダ装置等）が接続されていても良い。
【００３３】
図１に示すように、表示装置５は、電気的構成として、メイン基板２２と、電源基板２４と、表示パネル１１と、電源キー基板１２と、表示パネル基板１８と、を備えている。
【００３４】
表示パネル１１は、表示パネル基板１８及びメイン基板２２と電気的に接続されている。表示パネル１１は、メイン基板２２等から画像信号が入力されることで、画像を表示可能である。本実施形態の表示パネル１１は、タッチスクリーン機能を備えた液晶パネルとして構成されている。表示パネル１１は液晶パネルであるため、表示パネル１１の内部にはバックライトが配置されている。なお、表示パネル１１は液晶パネルに限られず、例えば有機ＥＬパネル又はプラズマディスプレイパネルであっても良い。また、タッチスクリーン機能を有していなくても良い。なお、表示パネル１１の表側（表示画面側）には物理キーである電源キーが配置されている。
【００３５】
電源キー基板１２は、表示パネル１１の電源キーと電気的に接続されている。電源キー基板１２は、電源キーが押された場合、その旨を示す信号をメイン基板２２へ出力する。
【００３６】
表示パネル基板１８は、表示パネル１１及びメイン基板２２と電気的に接続されている。表示パネル基板１８は、表示パネル１１の制御、特に表示パネル１１の画面サイズに依存するハードウェアの制御を行う。具体的には、表示パネル基板１８は、バックライト制御部１８ａと、タッチスクリーン制御部１８ｂと、を備えている。バックライト制御部１８ａは、表示パネル１１のバックライトの明るさ又は点灯の有無等に関する制御を行う。タッチスクリーン制御部１８ｂは、表示パネル１１に行われたタッチ操作を検出する等の制御を行う。
【００３７】
メイン基板２２は、デジタル基板であり、表示装置５を構成する各基板及び表示パネル１１と電気的に接続されている。また、メイン基板２２には、航海画像生成装置３等の外部機器から画像信号等が入力される。メイン基板２２は、表示装置５に関する様々な制御、特に表示パネル１１に画像を表示する制御を行う。メイン基板２２は、ＲＯＭ等で構成される記憶部２２ａと、ＣＰＵ等で構成される画像制御部２２ｂと、を備える。
【００３８】
記憶部２２ａは、メイン基板２２が行うプログラムを記憶している。特に本実施形態の記憶部２２ａは、表示パネル１１に表示する画像を生成する表示プログラムを、当該表示パネル１１の画面サイズに応じて複数記憶している。画像制御部２２ｂは、記憶部２２ａに記憶した表示プログラムのうち、接続先の表示パネル１１の画面サイズに応じたものを用いて、表示パネル１１に画像を表示する制御を行う。
【００３９】
また、メイン基板２２は、表示パネル１１又は表示パネル側筐体１４と接続されることで、表示パネル１１の画面サイズ（例えばインチ数）を取得し、取得した画面サイズに応じた表示プログラムを適用する。なお、表示プログラムの切替えは、メイン基板２２に設けられた表示プログラムの切替えのための物理キーを操作することにより行っても良い。なお、本実施形態のように自動で表示プログラムの切替えを行うことで、切替作業が不要になるとともに、人為的なミスが起こり得ないので、適切な表示プログラムを確実に適用できる。
【００４０】
電源基板２４は、アナログ基板であり、メイン基板２２と接続される。また、電源基板２４には、外部電源１から電力が供給されるとともに、魚群探知機２から画像信号が入力される。電源基板２４は、電力供給部２４ａを備える。電力供給部２４ａは、外部電源１から供給された電力を、電圧等を調整した後に、メイン基板２２へ供給する。メイン基板２２に供給された電力は、一部がメイン基板２２で消費され、残りは表示パネル１１、電源キー基板１２及び表示パネル基板１８等へ出力される。
【００４１】
なお、本実施形態では、航海画像生成装置３のケーブルは、電源基板２４を介することなくメイン基板２２に接続されている。このように航海画像生成装置３から電源基板２４を介さずに直接的に画像信号が伝達されることで、画像信号のノイズが増加することを防止できる。
【００４２】
次に、図２から図９までを参照して、表示装置５の機械的構成及び組立方法について説明する。
【００４３】
図２に示すように、表示装置５は、表示パネル１１の裏側（表示画面の反対側）に複数の部材（基板及び基板取付部）が取り付けられている。表示装置５の組立ては、表示パネル１１の裏側に、第１基板取付部１３、表示パネル側筐体１４、表示パネル基板１８、第２基板取付部２１、メイン基板２２、第３基板取付部２３、電源基板２４、及び制御側筐体２５の順で積み上げるようにして行う。以下、具体的に説明する。なお、以下では、表示画面側を表とし、その反対側を裏として説明する。
【００４４】
図３に示すように、表示パネル１１の裏側の面には、上述の電源キー基板１２と、第１基板取付部１３と、が取り付けられている。第１基板取付部１３は金属製の板状の部材であり、当該第１基板取付部１３の裏側の面には、複数の突出取付孔１３ａが形成されている。突出取付孔１３ａは、突出する円柱状の部材であり、内部に孔が形成されている。
【００４５】
表示パネル１１の裏側の面には、接着剤等を用いて表示パネル側筐体１４が取り付けられる。表示パネル側筐体１４は、表示パネル１１の一部、電源キー基板１２、第１基板取付部１３、表示パネル基板１８を少なくとも覆う。表示パネル側筐体１４は、表示パネル接続部１５と、筐体接続部１６と、基板取付部接続部１７と、を備えている。
【００４６】
表示パネル接続部１５は、表示パネル側筐体１４の表側の部分であり、表示パネル１１と接続される。筐体接続部１６は、表示パネル接続部１５から裏側に突出する枠状の部材である。筐体接続部１６には、複数の取付孔１６ａが形成されている。基板取付部接続部１７は、筐体接続部１６の内部に形成された部分である。基板取付部接続部１７には、突出取付部１７ａが形成されている。
【００４７】
次の工程では、図４に示すように、表示パネル基板１８が取り付けられる。表示パネル基板１８には、複数の取付孔１８ｃが形成されている。表示パネル基板１８は、取付孔１８ｃ及び突出取付孔１３ａにネジを挿入して締め付けることで、第１基板取付部１３に取り付けられる。
【００４８】
次の工程では、図５に示すように、第２基板取付部２１が取り付けられる。第２基板取付部２１は、金属製の板状の部材である。第２基板取付部２１には、取付孔２１ａと、第１突出取付孔２１ｂと、第２突出取付孔２１ｃと、ケーブル保護部２１ｄと、が形成されている。なお、第２突出取付孔２１ｃは、第１突出取付孔２１ｂよりも突出長さが長い。ケーブル保護部２１ｄは、後述の図７に示すようにケーブルを内部に案内する部材と、当該ケーブルを保護する筒状の部材と、から構成されている。第２基板取付部２１は、取付孔２１ａ及び突出取付部１７ａにネジを挿入して締め付けることで、表示パネル側筐体１４（詳細には基板取付部接続部１７）に取り付けられる。
【００４９】
なお、表示パネル１１、第１基板取付部１３、表示パネル側筐体１４、及び表示パネル基板１８は、表示パネル１１の画面サイズに依存する部材である。以下では、これらの部材をまとめて表示パネルブロック１０と称する。
【００５０】
次の工程では、図６に示すように、メイン基板２２が取り付けられる。メイン基板２２には、複数の取付孔２２ｃが形成されている。また、メイン基板２２には、外部の機器と通信するためのケーブル（信号伝達部）２２ｄが接続されている。ケーブル２２ｄは、例えば、ＬＡＮケーブル、ＵＳＢケーブル、航海画像生成装置３から航海画像が入力される画像伝達ケーブル等である。メイン基板２２は、取付孔２２ｃと第１突出取付孔２１ｂにネジを挿入して締め付けることで、第２基板取付部２１に取り付けられる。
【００５１】
その後、作業者は、ケーブル２２ｄをケーブル保護部２１ｄの筒状の部分に通す。更に、作業者は、メイン基板２２と表示パネル基板１８、メイン基板２２と表示パネル１１をそれぞれ図略のケーブル及びコネクタ等を介して接続する。
【００５２】
次の工程では、図７に示すように、第３基板取付部２３が取り付けられる。第３基板取付部２３は、金属製の板状の部材である。第３基板取付部２３には、複数の取付孔２３ａと、複数の突出取付孔２３ｂと、が形成されている。また、第３基板取付部２３には、切欠き２３ｃが形成されており、ケーブル２２ｄは、この切欠き２３ｃを通る。第３基板取付部２３は、取付孔２３ａ及び第２突出取付孔２１ｃにネジを挿入して締め付けることで、第２基板取付部２１に取り付けられる。
【００５３】
次の工程では、図８に示すように、電源基板２４が取り付けられる。電源基板２４には、複数の取付孔２４ｂと、電源ケーブル接続部２４ｃと、魚探ケーブル接続部２４ｄと、が形成されている。電源ケーブル接続部２４ｃは、外部電源１と接続するためのケーブルを接続可能である。魚探ケーブル接続部２４ｄは、魚群探知機２と接続するためのケーブルを接続可能である。電源基板２４は、取付孔２４ｂ及び突出取付孔２３ｂにネジを挿入して締め付けることで、第３基板取付部２３に取り付けられる。その後、作業者は、電源基板２４とメイン基板２２を図略のケーブル又はコネクタ等を介して接続する。
【００５４】
次の工程では、図９に示すように、制御側筐体２５が取り付けられる。制御側筐体２５は、表示パネル側筐体１４とともに、表示装置５内に配置される部材を覆う。制御側筐体２５は、筐体接続部２６と、カバー部２７と、を備えている。
【００５５】
筐体接続部２６は、制御側筐体２５の裏側に位置しており、制御側筐体２５の縁を構成する平板状の部分である。筐体接続部２６には、複数の取付孔２６ａが形成されている。カバー部２７は、筐体接続部２６から更に裏側に突出するように形成された箱状の部分である。カバー部２７の裏側の面には、ケーブル保護部２１ｄ（ケーブル２２ｄ）、電源ケーブル接続部２４ｃ、及び魚探ケーブル接続部２４ｄを外側に取り出すためのケーブル挿入孔２７ａが複数形成されている。カバー部２７の内部には空間が形成されており、この空間にメイン基板２２及び電源基板２４等が位置する。
【００５６】
制御側筐体２５は、取付孔２６ａ及び取付孔１６ａにネジを挿入して締め付けることで、表示パネル側筐体１４に取り付けられる（図１０を参照）。これにより、ケーブル挿入孔２７ａから、ケーブル２２ｄ、電源ケーブル接続部２４ｃ、及び魚探ケーブル接続部２４ｄを外側（裏側）に露出させることができる。
【００５７】
以上により、表示装置５の組立てが完成する。このように本実施形態では、基板及び基板取付部を積み上げるようにして組み立てることができるので、基板同士を接続しながら組立てを進めることができる。そのため、表示パネル側筐体１４に制御側筐体２５を取り付ける際に、基板同士を接続するケーブルが２つの筐体に挟まれることを防止できる。
【００５８】
ここで、第２基板取付部２１、メイン基板２２、第３基板取付部２３、電源基板２４、及び制御側筐体２５は、メイン基板２２を含み、表示パネル１１の画面サイズに依存しない部材である。以下では、これらの部材をまとめて制御ブロック２０と称する。
【００５９】
制御ブロック２０は、表示パネル１１の画面サイズに依存しない。例えば、制御ブロック２０は、画面サイズが異なる複数種類の表示パネルブロック１０に対して、それぞれ同じインタフェースを用いて接続される。従って、制御ブロック２０は、図１１に示すように、表示パネル１１の画面サイズが異なる別の表示パネルブロック１０に取り付けることができる。このように表示パネル１１の画面サイズに依存しない部材をまとめて制御ブロック２０とすることで、多数の部材を共通化することができる。そのため、表示パネル１１の画面サイズが異なる複数の機種を製造する場合、又は、表示パネル１１の画面サイズを変更した機種を新たに製造する場合において、既存の部品を使いまわすことができるので、コストの増加を抑えることができる。
【００６０】
以上に説明したように、本実施形態の表示装置５は、表示パネル１１と、第１基板取付部１３と、表示パネル基板１８と、第２基板取付部２１と、メイン基板２２と、第３基板取付部２３と、電源基板２４と、を備える。表示パネル１１は、画像を表示可能である。表示パネル基板１８は、第１基板取付部１３に取り付けられ、表示パネル１１の画面サイズに依存するハードウェアの制御を行う。メイン基板２２は、第２基板取付部２１に取り付けられ、表示パネル１１に画像を表示する表示プログラムを、当該表示パネル１１の画面サイズに応じて複数記憶しており、記憶した表示プログラムのうち何れかを用いて表示パネル１１に画像を表示する制御を行う。電源基板２４は、第３基板取付部２３に取り付けられ、表示パネル基板１８及びメイン基板２２で使用される電力を供給する。表示パネル１１の裏側には、当該表示パネル１１側から順に、第１基板取付部１３、表示パネル基板１８、第２基板取付部２１、メイン基板２２、第３基板取付部２３、電源基板２４が位置している。また、特に本実施形態では、それぞれの部材が、自身より表示パネル１１側の部材に取り付けられている。
【００６１】
これにより、複数の表示パネル１１に対応するプログラムをメイン基板２２が記憶していることもあり、制御ブロック２０を共通化することができる。従って、表示パネル１１の画面サイズの変更に伴うコストの増加を抑えることができる。また、それぞれの部材が自身より表示パネル１１側の部材に取り付けられることで、表示パネル１１から各部材を積み上げるようにして表示装置５を製造することが可能である。従って、基板同士をケーブルで接続しながら製造工程を進めることができるので、ケーブルの取り回しが容易になり、製造工程を簡単に行うことができる。
【００６２】
以上に本発明の好適な実施の形態を説明したが、上記の構成は例えば以下のように変更することができる。
【００６３】
表示装置５を構成する筐体、基板、及び基板取付部の形状は一例であり、適宜変更することができる。例えば、第３基板取付部２３及び電源基板２４のうち、第３基板取付部２３にのみ切欠きが形成されているが、電源基板２４に切欠きが形成されていても良い。この場合、ケーブル２２ｄは、第３基板取付部２３及び電源基板２４に形成された切欠きを通ることとなる。
【００６４】
表示装置５の内部に配置される基板及び基板取付部は、自身より表示パネル１１側の部材に取り付けられるのであれば、上記の実施形態と異なる位置に取り付けられていても良い。例えば、第１基板取付部１３は、表示パネル１１ではなく表示パネル側筐体１４に取り付けられていても良い。また、第３基板取付部２３は、第２基板取付部２１ではなく表示パネル側筐体１４に取り付けられていても良い。
【００６５】
電源基板２４からメイン基板２２を介さずに表示パネル基板１８へ電力が供給されていても良い。また、画像信号は、電源基板２４を介してメイン基板２２に入力されていても良い。
【００６６】
表示装置５は、表示パネル基板１８、メイン基板２２、及び電源基板２４を含んでいれば、更に異なる基板（例えばメモリカードを読み取るための基板）を備えていても良い。
【００６７】
本発明の表示装置は、船舶用に限られず、例えば他の移動体のナビゲーション装置及びパーソナルコンピュータ等、様々な機器に適用することができる。
【符号の説明】
【００６８】
５  表示装置
１０  表示パネルブロック
１１  表示パネル
１２  電源キー基板
１３  第１基板取付部
１４  表示パネル側筐体
１８  表示パネル基板
２０  制御ブロック
２１  第２基板取部
２２  メイン基板
２２ｄ  ケーブル（信号伝達部）
２３  第３基板取部
２４  電源基板
２５  制御側筐体
【図１】
0006405227.tif 000002
【図２】
0006405227.tif 000003
【図３】
0006405227.tif 000004
【図４】
0006405227.tif 000005
【図５】
0006405227.tif 000006
【図６】
0006405227.tif 000007
【図７】
0006405227.tif 000008
【図８】
0006405227.tif 000009
【図９】
0006405227.tif 000010
【図１０】
0006405227.tif 000011
【図１１】
0006405227.tif 000012